(57)【要約】【課題】２つの調整体を有するドラグ調整つまみにおいて、ねじの強度を維持して所望のドラグ力に素早く設定できるようにする。【解決手段】スピニングリールのドラグ調整つまみ６１は、先端に第１雄ねじ部１５ａが形成されたスプール軸１５に装着されたスプールを制動するドラグ機構のドラグ力を調整するつまみであって、第１調整体８０と、伝達体８１と、第２調整体８２と、押圧体８３とを備えている、第１調整体は、第１雄ねじ部に螺合する第１雌ねじ部９１を有する。伝達体は、第１調整体の後部に接触してスプール軸に回転不能かつ軸方向移動自在に装着され、外周に第１雄ねじ部よりリードが大きい多条ねじの第２雄ねじ部９８を有する。第２調整体は、第２雄ねじ部に螺合する第２雌ねじ部１１０を有する。押圧体は、第２調整体とドラグ機構との間に両者に接触可能に配置され、スプール軸に対して回転不能かつ軸方向移動自在である。【選択図】      図６
2004344047.tif 000002
【特許請求の範囲】
【請求項１】
スピニングリールのリール本体に対して前後移動自在であり先端に第１雄ねじ部が形成されたスプール軸に、後方への移動が規制された状態で回転自在に装着されたスプールを制動するドラグ機構のドラグ力を調整するスピニングリールのドラグ調整つまみであって、
前記第１雄ねじ部に螺合する第１雌ねじ部を有する第１調整体と、
前記第１調整体の後部に接触して前記スプール軸に回転不能かつ軸方向移動自在に装着され、外周に前記第１雄ねじ部とねじのリードが異なる第２雄ねじ部を有する伝達体と、
前記第２雄ねじ部に螺合する第２雌ねじ部を有する第２調整体と、
前記第２調整体と前記ドラグ機構との間に両者に接触可能に配置され、前記スプール軸に対して回転不能かつ軸方向移動自在な押圧体とを備え、
前記第１雄及び雌ねじ部並びに第２雄及び雌ねじ部のうち、前記リードが大きい方のねじ部は多条ねじである、スピニングリールのドラグ調整つまみ。
【請求項２】
前記リードが大きい方のねじ部はピッチも大きい、請求項１に記載のスピニングリールのドラグ調整つまみ。
【請求項３】
前記第２雄及び雌ねじ部は２条ねじである、請求項１又は２に記載のスピニングリールのドラグ調整つまみ。
【請求項４】
前記第１調整体は前方に突出する筒状の部材であり、
前記第２調整体は、前記第１調整体の周囲を覆いかつ部分的に露出させるカバー部と、前記第１調整体の前端部を部分的に覆う橋絡部とを有する、請求項１から３のいずれかに記載のスピニングリールのドラグ調整つまみ。
【請求項５】
前記伝達体を前記第１調整体に対して相対回転自在に抜け止めする第１抜け止め部をさらに備える、請求項１から４のいずれかに記載のスピニングリールのドラグ調整つまみ。
【請求項６】
、前記第１調整体は、
後端面に開口して形成された円形の凹部と、前記後端面と対向する前端面から前記凹部の外縁部を通って前記後端面の手前側まで周方向に間隔を隔てかつ前記円形の軸方向に沿って形成された複数の係止溝とを有する筒状の第１調整体本体と、
前記第１調整体本体の内周部に回転不能かつ前方への移動が規制された状態で装着され前記第１雌ねじ部を有するナット部材とを有し、
前記伝達体は、前記凹部に収納される第１鍔部を有し、
前記第１抜け止め部は、
前記複数の係止溝に係止される複数の係合部と、前記係合部と一体形成され前記伝達体の第１鍔部に前記開口側から接触する接触部とを有し、前記伝達体を抜け止めするために前記凹部の開口側から装着可能な弾性を有するばね部材である、請求項５に記載のスピニングリールのドラグ調整つまみ。
【請求項７】
前記押圧体を前記第２調整体に対して相対回転自在に抜け止めする第２抜け止め部をさらに備える、請求項１から６のいずれかに記載のスピニングリールのドラグ調整つまみ。
【請求項８】
前記第２調整体は、後端面に開口して形成された円形の凹部を有し、
前記押圧体は、前記凹部に収納される第２鍔部を有し、
前記第２抜け止め部は、頭部を有し前記第２調整体にねじ込まれ前記頭部で前記鍔部を係止可能なねじ部材である、請求項７に記載のスピニングリールのドラグ調整つまみ。
【請求項９】
前記第１調整体と前記伝達体との相対回転により発音する第１発音部をさらに備える、請求項１から８のいずれかに記載のスピニングリールのドラグ調整つまみ。
【請求項１０】
前記第２調整体と前記押圧体との相対回転により発音する第２発音部をさらに備える、請求項１から９のいずれかに記載のスピニングリールのドラグ調整つまみ。
【請求項１１】
前記第１発音部は、前記第２発音部より細かなピッチのクリック音を発生する、請求項１０に記載のスピニングリールのドラグ調整つまみ。
【請求項１２】
前記リードが大きいねじ部を有する調整体は、回動範囲が３６０度未満に限定されている、請求項１から１１のいずれかに記載のスピニングリールのドラグ調整つまみ。
【発明の詳細な説明】
【０００１】
【発明の属する技術分野】
本発明は、ドラグ調整つまみ、特に、スピニングリールのリール本体に対して前後移動自在であり先端に第１雄ねじ部が形成されたスプール軸に、後方への移動が規制された状態で回転自在に装着されたスプールを制動するドラグ機構のドラグ力を調整するスピニングリールのドラグ調整つまみに関する。
【０００２】
【従来の技術】
スピニングリールのスプールに設けられたフロントドラグ機構のドラグ力を調整するドラグ調整つまみとして、初期ドラグ力を設定する第１調整体と、それより増大するドラグ力を調整する第２調整体とを備えたものが知られている（たとえば、特許文献１参照）。第１調整体は、たとえば糸切りしない程度の最小の初期ドラグ力を設定するために使用される。第１調整体は、スプール軸の先端に形成された雄ねじ部に螺合している。第２調整体は、第１調整体の径方向外方に設けられた操作部を有しており、スプール軸に回転不能に装着された伝達部材に螺合している。伝達部材は、第１調整体により前方への移動が規制されている。第２調整体は、ドラグ機構に接触しており、初期ドラグ力より増大する側にドラグ力を設定可能である。両調整体のねじピッチは同じ又は異なるものに設定されている。
【０００３】
このような構成の従来のドラグ調整つまみでは、第１調整体を回すことによりドラグ力の初期荷重を設定する。そして、初期ドラグ力が設定された状態で第２調整体によりドラグ力を初期ドラグ力から増大させることができる。これにより、ドラグ力が必要以上に小さくなることによる魚の取り逃がし及び糸切れの防止を図ることができる。
【０００４】
【特許文献１】
実公平６−２９０３２号公報（第８図及び第１０図参照）
【０００５】
【発明が解決しようとする課題】
前記２つの調整体を有する従来のドラグ調整つまみでは、第２調整体のねじピッチを第１調整体のねじピッチより大きくすることにより、第２調整体の回動量に対するドラグ力の増大割合を大きくすることができ、所望のドラグ力に素早く設定することができる。しかし、ねじピッチを大きくし過ぎると、螺合しているねじ山の数が少なくなり、ねじの強度が低くなってしまう。このため、前記従来の構成では、大きなドラグ力を設定するとねじが破損するおそれがある。
【０００６】
本発明の課題は、２つの調整体を有するドラグ調整つまみにおいて、ねじの強度を維持して所望のドラグ力に素早く設定できるようにすることにある。
【０００７】
【課題を解決するための手段】
発明１に係るスピニングリールのドラグ調整つまみは、スピニングリールのリール本体に対して前後移動自在であり先端に第１雄ねじ部が形成されたスプール軸に、後方への移動が規制された状態で回転自在に装着されたスプールを制動するドラグ機構のドラグ力を調整するつまみであって、第１調整体と、伝達体と、第２調整体と、押圧体とを備えている、第１調整体は、第１雄ねじ部に螺合する第１雌ねじ部を有するものである。伝達体は、第１調整体の後部に接触してスプール軸に回転不能かつ軸方向移動自在に装着され、外周に第１雄ねじ部とねじのリードが異なる第２雄ねじ部を有するものである。第２調整体は、第２雄ねじ部に螺合する第２雌ねじ部を有するものである。押圧体は、第２調整体とドラグ機構との間に両者に接触可能に配置され、スプール軸に対して回転不能かつ軸方向移動自在なものである。この第１雄及び雌ねじ部並びに第２雄及び雌ねじ部のうち、リードが大きい方のねじ部は多条ねじである。
【０００８】
このドラグ調整つまみでは、第１調整体と第２調整体のうちリードが小さい単条ねじのねじ部を有する調整体で初期ドラグ力を調整する。たとえば、第１調整体の第１雌ねじ部が単条ねじの場合は、第１調整体を回して初期ドラグ力を調整する。第１調整体をねじの締め込み方向に回すと、第１調整体の少なくとも第１雄ねじ部に螺合する部分がスプール軸に対して後方に移動する。すると、伝達体を介して第２調整体が押圧され、さらに押圧体を介してドラグ機構が押圧されドラグ機構のドラグ力が増加する。逆方向に回すとドラグ力が減少する。この初期ドラグ力が設定された状態で、リードが大きい多条ねじの第２雌ねじ部を有する第２調整体をねじの締め込み方向に回すと、第２調整体の少なくとも第２雌ねじ部が伝達体に対して後方に移動し、押圧体を介してドラグ機構が押圧されてドラグ機構のドラグ力が初期ドラグ力から徐々に増大する。
【０００９】
このことは、第１調整体が多条ねじの場合でも同様であり、第２調整体を回すと、伝達部材が第１調整体に接触した状態で第２調整体の第２雌ねじ部が伝達体に対して後方に移動し、押圧体を介してドラグ機構が押圧されてドラグ力を所望の初期ドラグ力に設定できる。この状態で多条ねじの第１調整体を回すと、伝達体、第２調整体を介して押圧体が後方に押圧され、ドラグ力が所定ドラグ力から徐々に増大する。
【００１０】
ここでは、多条ねじを用いた調整体と単条ねじを用いた調整体とで同じピッチのねじを用いたとしても、多条ねじを用いた調整体の回転量に対する後方への移動量は、単条ねじを用いた調整体の条数倍になる。しかも、多条ねじのため、単条ねじを用いた調整体とピッチを同じにでき、螺合するねじ山の数も同じにできる。このため、ねじのピッチを大きくする必要がなくなり、ねじの強度を維持して所望のドラグ力に素早く設定できるようになる。
【００１１】
発明２に係るスピニングリールのドラグ調整つまみは、発明１に記載のつまみにおいて、リードが大きい方のねじ部はピッチも大きい。この場合には、ねじのピッチも大きいので、調整体の回転量に対する移動量がさらに大きくなり、所望のドラグ力にさらに素早く設定できるようになる。
発明３に係るスピニングリールのドラグ調整つまみは、発明１又は２に記載のつまみにおいて、第２雄及び雌ねじ部は２条ねじである。この場合には、比較的加工しやすい２条ねじであるので、第２ねじ部を安価に製造できる。
【００１２】
発明４に係るスピニングリールのドラグ調整つまみは、発明１から３のいずれかに記載のつまみにおいて、第１調整体は前方に突出する筒状の部材であり、第２調整体は、第１調整体の周囲を覆いかつ部分的に露出させるカバー部と、第１調整体の前端部を部分的に覆う橋絡部とを有する。この場合には、第１調整体の前端部を覆うことにより、第１調整体が突出していても釣り糸が引っ掛かりにくくなる。また、一部を露出させた状態で第１調整体の周囲を覆っているので、露出した部分での第１調整体の操作を可能にして釣り糸が第１調整体にさらに引っ掛かりにくくなる。
【００１３】
発明５に係るスピニングリールのドラグ調整つまみは、発明１から４のいずれかに記載のつまみにおいて、伝達体を第１調整体に対して相対回転自在に抜け止めする第１抜け止め部をさらに備える。この場合には、第１抜け止め部により伝達体が第１調整体に対して抜け止めされるので、つまみを外したときに伝達体と第１調整体とがばらけなくなる。
【００１４】
発明６に係るスピニングリールのドラグ調整つまみは、発明５に記載のつまみにおいて、第１調整体は、後端面に開口して形成された円形の凹部と、後端面と対向する前端面から凹部の外縁部を通って後端面の手前側まで周方向に間隔を隔てかつ円形の軸方向に沿って形成された複数の係止溝とを有する筒状の第１調整体本体と第１調整体本体の内周部に回転不能かつ前方への移動が規制された状態で装着され第１雌ねじ部を有するナット部材とを有し、伝達体は、凹部に収納される第１鍔部を有し、第１抜け止め部は、複数の係止溝に係止される複数の係合部と、係合部と一体形成され伝達体の第１鍔部に開口側から接触する接触部とを有し、伝達体を抜け止めするために凹部の開口側から装着可能な弾性を有するばね部材である。
【００１５】
この場合には、第１調整体の凹部の開口側から伝達体の第１鍔部を収納し、この状態で開口側から第１抜け止め部を開口を通るように圧縮しながら凹部内に収納し、凹部の外縁部に形成された係止溝に係合部を位置決めして圧縮状態を解除する。すると、係止溝は、凹部の第１端面より手前側までしか形成されていないので、第１端面とのあいだで段差が生じ、その段差に係合部が係止されて抜け止め部材は第１調整体本体の開口側に移動できなくなる。また、この状態で伝達体の開口側に接触部が接触して伝達体も開口側に移動できなくなる。このため、伝達体が抜け止めされる。この係止溝は、前端面から後端面に向けて形成されているので、型成形時に型により形成することができる。ここでは、第１抜け止め部を係止するための構造を型成形により形成できるので、第１抜け止め部の係止構造を機械加工することなく実現でき、加工コストを低減することができる。
【００１６】
発明７に係るスピニングリールのドラグ調整つまみは、発明１から６のいずれかに記載のつまみにおいて、押圧体を第２調整体に対して相対回転自在に抜け止めする第２抜け止め部をさらに備える。この場合には、押圧体が第２調整体に対して抜け止めされるので、第１調整体を緩めてスプール軸から外すとき、つまみ全体をばらけることなく取り外すことができる。
【００１７】
発明８に係るスピニングリールのドラグ調整つまみは、発明７に記載のつまみにおいて、第２調整体は、後端面に開口して形成された円形の凹部を有し、押圧体は、凹部に収納される第２鍔部を有し、第２抜け止め部は、頭部を有し第２調整体にねじ込まれ頭部で鍔部を係止可能なねじ部材である。この場合には、ねじ部材の頭部を利用して押圧体を回転自在に簡単に抜け止めできる。
【００１８】
発明９に係るスピニングリールのドラグ調整つまみは、発明１から８のいずれかに記載のつまみにおいて、第１調整体と伝達体との相対回転により発音する第１発音部をさらに備える。この場合には、第１調整体の操作を確実に認識できる。
発明１０に係るスピニングリールのドラグ調整つまみは、発明１から９のいずれかに記載のつまみにおいて、第２調整体と押圧体との相対回転により発音する第２発音部をさらに備える。この場合には、第２調整体の操作を確実に認識できる。
【００１９】
発明１１に係るスピニングリールのドラグ調整つまみは、発明１０に記載のつまみにおいて、第１発音部は、第２発音部より細かなピッチのクリック音を発生する。この場合には、両調整体のいずれかを操作したかを音の間隔により識別できる。
発明１２に係るスピニングリールのドラグ調整つまみは、発明１から１１のいずれかに記載のつまみにおいて、リードが大きいねじ部を有する調整体は、回動範囲が３６０度未満に限定されている。この場合には、回動量に対して前後移動量が大きい調整体の前後移動範囲を所定量に限定でき、設定値へのドラグ力の変更が容易になる。
【００２０】
【発明の実施の形態】
〔全体構成及びリール本体の構成〕
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２１】
リール本体２は、図１及び図２に示すように、側部に開口を有するリールボディ２ａと、リールボディ２ａの開口２ｃを閉塞するための蓋体２ｄと、蓋体２ｄから斜め上前方に一体で延びるＴ字状の竿取付脚２ｂとを有している。
リールボディ２ａは、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００２２】
リールボディ２ａの前部には、ロータ３の後部を塞ぐ円形のフランジ部２ｅが蓋体２ｄとによって形成されている。リールボディ２ａ側のフランジ部２ｅの後部には、円形の隔壁２ｇが形成されており、隔壁２ｇの後部に円形の空間が形成されている。
〔ロータの構成〕
ロータ３は、図１に示すように、後端が開口する円筒部３０と、円筒部３０の側方に互いに対向してそれぞれ設けられた第１ロータアーム３１及び第２ロータアーム３２とを有している。円筒部３０と第１ロータアーム３１及び第２ロータアーム３２とは一体成形されている。
【００２３】
円筒部３０は、リールボディ２ａのフランジ部２ｅの外周側に配置されている。円筒部３０の開口する後部は、フランジ部２ｅにより塞がれている。円筒部３０の前部には前壁３３が形成されており、前壁３３の中央部にはボス３３ａが形成されている。このボス３３ａの貫通孔をピニオンギア１２の雄ねじ部１２ｅ及びスプール軸１５が貫通している。前壁３３の前方側にはナット３４が配置されており、このナット３４がピニオンギア１２の先端の雄ねじ部１２ｅに螺合してロータ３をピニオンギア１２に固定している。
【００２４】
第１ロータアーム３１及び第２ロータアーム３２の先端には、釣り糸をスプール４に案内するためのベールアーム４４が糸巻き取り姿勢と糸開放姿勢との間で揺動自在に装着されている。
ロータ３の円筒部３０の隔壁２ｇの前側の空間内にはロータ３の逆転防止機構５０が配置されている。逆転防止機構５０は、ローラ型のワンウェイクラッチ５１と、ワンウェイクラッチ５１を作動状態及び非作動状態に切り換える操作機構５２とを有している。ワンウェイクラッチ５１は、外輪がリールボディ２ａに固定され、内輪がピニオンギア１２に回転不能に装着されている。操作機構５２は、リールボディ２ａの後部に配置された操作レバー５３を有しており、操作レバー５３を揺動させることでワンウェイクラッチが２つの状態に切り換られ、作動状態のときにロータ３が逆転不能になり、非作動状態のときロータ３が逆転可能になる。
【００２５】
〔スプールの構成〕
スプール４は、ロータ３の第１ロータアーム３１と第２ロータアーム３２との間に配置されており、スプール軸１５の先端に後方への移動が規制された状態で回転自在に装着されている。スプール軸１５は、図３に示すように、先端に向かって徐々に縮径するような段付き軸である。スプール軸１５は、先端の小径部分に形成された第１雄ねじ部１５ａを有している。第１雄ねじ部１５ａは、単条ねじである。また、第１雄ねじ部１５ａの基端側には、互いに平行な面取り部１５ｂを有している。スプール軸１５は、基端にオシレーティング機構６の後述するスライダ２２が回転かつ移動不能に装着されるスライダ装着部１５ｃを有している。
【００２６】
スプール４は、たとえばアルミニウム鍛造製のものであり、外周に釣り糸が巻き付けられる糸巻胴部４ａと、糸巻胴部４ａの後部に一体成形された大径のスカート部４ｂと、糸巻胴部４ａの前部に一体形成された大径の前フランジ部４ｃとを有している。糸巻胴部４ａはロータ３の円筒部３０の外周側まで延びる円筒状の部材である。糸巻胴部４ａは、内周側にスプール軸１５に装着されるボス部が形成された円板状の装着部４ｄを有している。装着部４ｄは、鍔付きブッシュ５５を介してスプール軸１５に回転自在に装着されている。装着部４ｄの前面には、スプール４を制動するドラグ機構６０を収納する筒状のドラグ収納部４ｅが形成されている。ドラグ収納部４ｅの内周面には、軸方向に沿って係止溝４ｆが１対形成されている。
【００２７】
〔ドラグ機構の構成〕
ドラグ機構６０は、スプール４を制動するものであり、スプール軸１５の第１雄ねじ部１５ａに螺合するドラグ調整つまみ６１によりドラグ力を調整可能である。ドラグ機構６０は、スプール軸１５の面取り部１５ｂに回転不能に係止される第１及び第２ドラグ座金７０，７１と、スプール４の係止溝４ｆに回転不能に係止される第３ドラグ座金７２とを有している。第３ドラグ座金７２は、第１及び第２ドラグ座金７０，７１の間に配置されている。第１ドラグ座金７０と第３ドラグ座金７２との間、第３ドラグ座金７２と第２ドラグ座金７１との間、及び第２ドラグ座金７２とスプール４の装着部４ｄとの間には、たとえばフェルト製のドラグディスク７４が介装されている。ドラグ収納部４ｅと、ドラグ調整つまみ６１の後端外周部との間には、その隙間からドラグ機構６０に液体などの異物の侵入を防止するシール部材５６が装着されている。
【００２８】
〔ドラグ調整つまみの構成〕
ドラグ調整つまみ６１は、図４から図６に示すように、第１雄ねじ部１５ａに螺合する第１雌ねじ部９１を有する第１調整体８０と、第１調整体８０に対して相対回転自在な伝達体８１と、伝達体８１に対して相対回転自在な第２調整体８２と、伝達体８１に相対回転不能に装着された押圧体８３とを有している。また、ドラグ調整つまみ６１は、第１調整体８０と伝達体８１との相対回転により発音する第１つまみ発音部８４と、第２調整体８２と押圧体８３との相対回転により発音する第２つまみ発音部８５とを有している。
【００２９】
第１調整体８０は、筒状の第１調整体本体９０と、第１雌ねじ部９１が内周面に形成された第１ナット９２とを有している。
第１調整体本体９０は、第１調整体８０を回動操作するためのものである。第１調整体本体９０は、後端面９０ａにスプール軸芯と同芯に開口して形成された円形の伝達体収納凹部９０ｂと、後端面９０ａと対向する前端面９０ｃから伝達体収納凹部９０ｂの外縁部を通って後端面９０ａの手前側まで周方向に間隔を隔てかつ円形の軸方向に沿って形成されたたとえば４つの係止溝９０ｄとを有している。この係止溝９０ｄに後述する抜け止めばね９５が装着されている。第１調整体本体９０の内周部には、第１ナット９２を回転不能かつ前方への移動を規制して装着するための第１ナット収納部９０ｅが形成されている。また、前端面には、係止溝９０ｄの開口部分に浅いリング溝９０ｆが形成されており、リング溝９０ｆには、係止溝９０ｄの開口部分を塞ぐ銘版シール９３が貼り付けられている。このような銘版シール９３で開口部分を塞ぐことにより、液体などの異物の侵入や付着を防ぐとともに美観の向上を図ることができる。また、第１調整体本体９０の伝達体収納凹部９０ｂの底面には、第１つまみ発音部８４を収納するための円形のピン収納凹部９０ｇが直径上に２箇所形成されている。また、前面の中心には中心孔９０ｈが形成されている。
【００３０】
第１ナット９２は、内周面に第１雌ねじ部９１が形成された六角ナットである。第１ナット９２は、第１調整部本体９０のナット収納部９０ｅに回転不能かつ前方への移動が規制された状態で装着されている。第１ナット９２は、ワッシャ９６を介して第１調整体本体９０に抜け止めされた伝達体８１に接触している。このため、第１ナット９２は、第１調整体本体９０と伝達体８１とに挟持された状態になる。
【００３１】
伝達体８１は、第１調整体８０の後部に接触してスプール軸１５に回転不能かつ軸方向移動自在に装着され、外周に第１雄ねじ部１５ａとねじのリードが異なる第２雄ねじ部９８を有する概ね筒状の部材である。伝達体８１は、前端部に大径の第１鍔部８１ａを有している。第１鍔部８１ａの外径は、第１調整体本体９０の伝達体収納凹部９０ｂの内径より小さく、伝達体収納凹部９０ｂに挿入可能なものである。第１鍔部８１ａの前端面は、伝達体収納凹部９０ｂの底面に接触して配置されている。また、第１鍔部８１ａの前端面には、第１つまみ発音部８４を構成する多数の音出し凹部８４ａが周方向に間隔を隔てて形成されている。第１鍔部８１ａから間隔を隔てて後方には、第２雄ねじ部９８が形成されている。第２雄ねじ部９８は、第１雄ねじ部１５ａよりピッチが大きい２条ねじである。このため、第２雄ねじ部９８のリードは第１雄ねじ部１５ａのリードより大きくなる。第１鍔部８１ａと第２雄ねじ部９８との間には小径の抜け止め凹部８１ｂが形成されている。抜け止め凹部８１ｂは、抜け止めばね９５を装着するために設けられている。第２雄ねじ部９８の後方には互いに平行な面取り部８１ｃが形成された回転係止部８１ｄが設けられている。回転係止部８１ｄは、押圧体８３を回転不能かつ軸方向移動自在に装着するために設けられている。また、伝達体８１の内周面には、スプール軸１５の面取り部１５ｂに回転不能に係合する断面が長円形の係止孔８１ｅが形成されている。
【００３２】
抜け止めばね９５は、金属線材を折り曲げて形成されたものである。抜け止めばね９５は、伝達体８１を第１調整体８０に回転回転自在に抜け止めするために伝達体収納凹部９０ｂの開口側から装着可能なものである。抜け止めばね９５は、４つの係止溝９０ｄに後方への移動が規制された状態で係止される角部で構成される係合部９５ａと、係合部９５ａと一体形成され伝達体８１の第１鍔部８１ａの後面に伝達体収納凹部９０ｂの開口側から接触して第１鍔部８１ａの後方への移動を規制する接触部９５ｂとを有している。ここでは、抜け止めばね９５を係止するための構造を円形の型成形により形成できるので、抜け止めばね９５の係止構造を機械加工することなく実現でき、加工コストを低減することができる。
【００３３】
第２調整体８２は、円板状の第２調整体本体１００と、第２雄ねじ部９８に螺合する第２雌ねじ部１０１を有する第２ナット１０２と、第２調整体本体１０００の前面に固定された把手部１０３とを有している。
第２調整体本体１００は、つまみボディ１００ａと、つまみボディ１００ａから前方に突出する１対の把手連結部１００ｂと、把手連結部１００ｂの間で先細り筒状につまみボディ１００ａに突出するカバー部１００ｃとを有している。また、第２調整体本体１００は、つまみボディ１００ａから後方に突出する筒状の第２ナット収納部１００ｄと、第２ナット収納部１００ｄの外周側に後方に突出して形成された押圧体収納凹部１００ｅとを有している。
【００３４】
つまみボディ１００ａは、中心部を貫通孔が形成された皿状の部分である。把手連結部１００ｂは、つまみボディ１００ａの直径上の両端部分から前方にやや中心側に傾斜して突出している。把手連結部１００ｂには、把手部１０３を装着するための貫通孔１００ｆが形成されており、把手連結部１００ｂに把手部１０３がねじ止め固定されている。また、一方の把手連結部１００ｂの後面には、第２つまみ発音部８５を収納するための円形のピン収納凹部１００ｇが形成されている。カバー部１００ｃは、第１調整体８０の第１調整体本体９０の周囲を覆いかつ部分的に露出させるように形成されている。具体的には、先細りの筒状部の両側に１対の切欠き部１００ｈを形成することにより第１調整体本体９０の周囲を部分的に露出している。この露出部分で第１調整体８０をつまんで回動させることができる。第２ナット収納部１００ｄは、第２ナット１０２を回転不能かつ前方への移動を規制して装着する。押圧体収納凹部１００ｅには、押圧体８３の後述する第２鍔部１１０ａが回転自在に抜け止めされた状態で収納されている。また、押圧体収納凹部１００ｅの内周側には、略３３０度の範囲で第２調整体８２の回転を規制するためのＣ字状の回動規制溝１００ｉがスプール軸芯と同芯に形成されている。
【００３５】
第２ナット１０２は、内周面に第２雌ねじ部１０１が形成された六角ナットである。第２ナット１０２は、第２調整部本体１００のナット収納部１００ｄに回転不能かつ前方への移動が規制された状態で装着されている。第２ナット１０２は、第２調整体８２に抜け止めされた押圧体８３に接触している。このため、第２ナット１０２は、第２調整体本体１００と、押圧体８３とに挟持された状態になる。
【００３６】
把手部１０３は、第２調整体８２を回動操作するためのものである。把手部１０３は、第２調整体本体１００の直径上に延びる橋絡部１０３ａと、橋絡部１０３ａから後方に延びる１対の取付筒部１０３ｂと、橋絡部１０３ａの中心から後方に延びて第１調整体本体９０の中心９０ｆに挿通される軸部１０３ｃと、橋絡部１０３ａの中心部から碗状に拡がる拡張部１０３ｄとを有している。１対の取付筒部１０３ｂは、把手連結部１００ｂの後面より僅かに凹んで貫通孔１００ｆを貫通している。この取付筒部１０３ｂの後端面にビス１０５がねじ込まれて、把手部１０３は、第２調整体本体１００に固定されている。橋絡部１０３ａは、拡張部１０３ｄとで第１調整体８０の第１調整体本体９０の前端面を部分的に覆っている。ここでは、第１調整体８０の前端部を部分的に覆うことにより、第１調整体８０が突出していても釣り糸が引っ掛かりにくくなる。また、一部を露出させた状態で第１調整体８０の周囲をカバー部１００ｃで覆っているので、露出した部分での第１調整体８０の操作を可能にして釣り糸が第１調整体８０にさらに引っ掛かりにくくなる。
【００３７】
押圧体８３は、第２調整体８２とドラグ機構６０との間に両者に接触して配置され、スプール軸１５に対して回転不能かつ軸方向移動自在なものである。押圧体８３は、第２鍔部１１０ａを有する円板状の押圧体本体１１０と、押圧体本体１１０をスプール軸１５に回転不能に装着された伝達体８１に対して回転不能に連結するための歯付きワッシャ１１１とを有している。
【００３８】
押圧体本体１１０は、伝達体８１に回転自在に装着されており、前端部に押圧体収納凹部１００ｅに外周縁が収納される第２鍔部１１０ａを有している。第２鍔部１１０ａは、把手部１０３を第２調整体本体１００に固定するための２本のビス１０５により、第２調整体本体１００に回転自在に抜け止めされている。押圧体本体１１０の内周部には、歯付きワッシャ１１１に回転不能に係合する係合凹部１１０ｂが形成されている。また、第２鍔部１１０ａの前端面には、回動規制溝１００ｉに係合する規制突起１１０ｃが前方に突出して形成されている。この規制突起１１０ｃが回動規制溝１００ｉに係合することにより、第２調整体８２の回動範囲が規制されている。このように回動範囲を規制することにより、設定値へのドラグ力の変更が容易になる。さらに、第２鍔部１１０ａの規制突起１１０ｃ形成部分を除く前端面には、第２つまみ発音部８５を構成する多数の音出し凹部８５ａが周方向に間隔を隔てて形成されている。
【００３９】
歯付きワッシャ１１１は、押圧体本体１１０をスプール軸１５に対して回転不能にするために設けられている。具体的には、スプール軸１５に対して回転不能な伝達体８１に回転不能に装着されて、押圧体８３をスプール軸１５に対して回転不能にしている。歯付きワッシャ１１１は、外周に周方向に間隔を隔てて径方向に突出して形成された複数の係止歯１１１ａを有している。係止歯１１１ａは、等間隔に形成されているが１箇所だけ形成されていないところがある。これにより、第２調整体８２に対して押圧体８３を所定の回転位相で組み付けることができる。歯付きワッシャ１１１の内周面には、伝達体８１の回転係止部８１ｄに回転不能に係合する長孔状の係止孔１１１ｂが形成されている。この係止孔１１１ｂは、係止歯１１１ａに対して所定の回転位相で形成されている。
【００４０】
第１つまみ発音部８４は、伝達体８１に形成された音出し凹部８４ａと、２つのピン収納凹部９０ｇに音出し凹部８４ａに向けて進退自在に収納された２つの音出しピン１１５と、音出しピン１１５を音出し凹部８４ａに向けて付勢する音出しばね１１６とを有している。
第２つまみ発音部８５は、把手連結部１００ｂに形成された音出し凹部８５ａと、ピン収納凹部１００ｇに音出し凹部８５ａに向けて進退自在に収納された音出しピン１２０と、音出しピン１２０を音出し凹部８５ａに向けて付勢する音出しばね１１６とを有している。
【００４１】
２つの発音部８４，８５において、音出しピン１１５，１２０の頭部の径は音出しピン１１５の方が小径である。また、音出し凹部８４ａの方が音出し凹部８５ａより間隔が狭い。このため、第１つまみ発音部８４の方が第２つまみ発音部８５より細かなクリック音を発する。
また、スプール４の後部には、図３に示すように、ドラグ機構６０が作動してスプール４がスプール軸１５に対して回転すると発音するドラグ発音部６２が密着して配置されている。ドラグ発音部６２は、図３に示すように、鍔付きブッシュ５５の鍔部の後面にワッシャ６５を介して装着された音出し部材１２５と、音出し部材１２５に接触可能にスプール４に揺動自在に装着された有底筒状の音出し爪１２６と、音出し爪１２６を音出し部材１２５に接触する位置に付勢するコイルばね（図示せず）とを有している。音出し部材１２５はスプール軸に回転自在に装着されている。音出し部材１２５は、スプール軸１５の面取り部１５ｂの後端部に後方への移動が規制された状態で回転不能に装着されたスプールワッシャ６６に回転不能に係止されている。これにより、音出し部材１２５はスプール軸１５に対して回転不能になっている。なお、スプールワッシャ６６は、音出し部材１２５及びワッシャ６５を介してスプール４の後方への移動を規制している。音出し部材１２５は、スプール４の装着部４ｄのボス部外周に配置される音出し筒部１２５ａを有しており、音出し筒部１２５ａの外周面に音出し凸部１２５ｂが周方向に間隔を隔てて多数形成されている。
【００４２】
音出し爪１２６は、スプール４の装着部４ｄに後方に突出して筒状に形成された装着筒部４ｇの端面に圧入固定された揺動ピン１２７に揺動自在に支持されている。音出し爪１２６と装着筒部４ｇの端面との間にはワッシャ１２８が介装されている。このようにワッシャ１２８を介装することにより、ワッシャ１２８により音出し爪１２６を揺動方向と交差する方向にふれないように支持することができ、音出し爪１２６を支持する面を装着筒部４ｇに設ける必要がなくなる。このため、装着筒部４ｇの径方向の肉厚を薄くすることができ、アルミニウム鍛造製のスプール４の軽量化を図ることができる。
【００４３】
〔ロータ駆動機構の構成〕
ロータ駆動機構５は、図１及び図２に示すように、ハンドル１が回転不能に装着されたメインギア軸１０と、メインギア軸１０とともに回転するフェースギアであるメインギア１１と、このメインギア１１に噛み合うピニオンギア１２とを有している。
【００４４】
ピニオンギア１２は、メインギア１１と食い違う回りにリールボディ２ａに回転自在に装着されている。ピニオンギア１２は、図１に示すように、ハンドル１の回転に連動して回転する筒状の部材であり、前後に延びるスプール軸１５が中心部を貫通している。ピニオンギア１２は、メインギア１１及び後述する大径ギア１９に噛み合うギア部１２ａと、ギア部１２ａの先端側に形成された筒部１２ｂと、ギア部１２ａの軸方向前方（図２左側）に配置されギア部１２ａより小径に形成された切欠き部１２ｃとを有している。ピニオンギア１２は、筒部１２ｂとギア部１２ａの後部側とでリールボディ２ａに軸受１４ａ、１４ｂを介して回転自在に支持されている。ギア部１２ａは、フェースギアであるメインギア１１に噛み合うねじ歯車である。筒部１２ｂの先端には、雄ねじ部１２ｅが形成されている。雄ねじ部１２ｅに螺合するナット３４によりロータ３がピニオンギア１２の筒部１２ｂの先端部に固定されている。切欠き部１２ｃは、周方向に形成された環状の溝部であり、溝部の軸方向長さは、後述する従動ギア１６のギア部分の軸方向長さより長い。
【００４５】
〔オシレーティング機構の構成〕
オシレーティング機構６は、ハンドル１の回転に連動してスプール軸１５を介してスプール４を前後に往復移動させる機構である。オシレーティング機構６は、大径ギア１９と小径ギア２０とを有し、メインギア１１と食い違う軸回りにリール本体２に回転自在に装着された段付ギア１３と、小径ギア２０に噛み合う従動ギア１６と、従動ギア１６が回転不能に装着された螺軸２１と、螺軸２１に係合して前後移動するスライダ２２と、前述したピニオンギア１２とを有している。
【００４６】
段付ギア１３は、ピニオンギア１２の回転を大きく減速して従動ギア１６に伝達するために設けられている。従動ギア１６は、小径ギア２０に噛み合うすぐ歯ギアであり、外周部がピニオンギア１２の切欠き部１２ｃ内に配置されている。従動ギア１６の外周部は環状溝で構成される切欠き部１２ｃの底部と僅かな隙間をあけて配置されている。
【００４７】
このようにピニオンギア１２に切欠き部１２ｃを形成するとともに、従動ギア１６の外周部を切欠き部１２ｃ内に配置することにより、従動ギア１６及び螺軸２１をスプール軸１５に接近させることができ、減速比を維持しながら、リール本体２に各種のギアをコンパクトに配置できる、
螺軸２１は、スプール軸１５と平行に配置されており、リールボディ２ａに回転自在に支持されている。また、螺軸２１の外周部には螺旋状の交差する溝２１ａが形成されている。この螺軸２１の先端に前述したように従動ギア１６が回転不能に装着されている。
【００４８】
スライダ２２は、スライダ本体２５と、スライダ本体２５内に収納された係合部材２６とを有している。スライダ本体２５は、２本のガイド軸２４ａ、２４ｂによりスプール軸１５と平行に案内される。係合部材２６は、スライダ本体２５内に回動自在に装着されており、係合部材２６の先端は、螺軸２１の溝２１ａに噛み合っている。
【００４９】
〔リールの操作及び動作〕
このスピニングリールでは、釣りを行う前に、釣法や釣り対象の魚に応じてドラグ力を調整する。ドラグ力を調整する際には、まず第１調整体８０を回して初期ドラグ力を設定する。第１調整体８０をねじ込み方向に回すと、第１ナット９２が後方に移動して伝達体８１，第２ナット１０２及び押圧体８３を介してドラグ機構６０を押圧し、ドラグ力が増大する。逆に回すとドラグ力が減少する。このとき、第１雄ねじ部１５ａ，第１雌ねじ部９１はピッチが細かい単条ねじであるので、初期ドラグ力を細かく設定できる。
【００５０】
初期ドラグ力の設定が終わると、第２調整体８２を回して魚がかかったときの通常のドラグ力を設定する。第２調整体８２をねじ込み方向に回すと、第２ナット１０２が後方に移動して押圧体８３を介してドラグ機構６０を押圧し、ドラグ力が増大する。このとき、第２雄ねじ部９８及び第２雌ねじ部１０１は、２条ねじでありしかもピッチが粗いため、第２調整体８２の回動に対して第２ナット１０２が第１ナット９２に比べて大きく後方に移動する。したがって、第２調整体８２を回僅かに動させるだけでドラグ力を大きく変化させることができる。
【００５１】
ここでは、２条ねじを用いた第２調整体８２と単条ねじを用いた第１調整体８０とで仮に同じピッチのねじを用いたとしても、２ねじを用いた第２調整体８２の回転量に対する後方への移動量は、単条ねじを用いた第１調整体８０の条数倍になる。しかも、２条ねじのため、単条ねじを用いた調整体とピッチを同じにして、螺合するねじ山の数を同じにすることもできる。このため、ねじのピッチをそれほど大きくする必要がなくなり、ねじの強度を維持して所望のドラグ力に素早く設定できるようになる。
【００５２】
キャスティング時には、ベールアーム４４を糸巻き取り姿勢から糸開放姿勢に倒す。そして、釣竿を振って仕掛けをキャスティングする。すると、スプール４の先端から釣り糸が螺旋状に放出される。このとき、スプール４に釣り糸が密に巻き付けられているので、放出抵抗が少なくなる。
釣り糸巻き取り時には、ベールアーム４４を糸巻き取り姿勢に倒す。これは、ハンドル１を糸巻き取り方向に回転させると図示しないカムとバネの働きにより自動的に行われる。ハンドル１を糸巻き取り方向に回転させると、この回転力はメインギア軸１０及びメインギア１１を介してピニオンギア１２に伝達される。このピニオンギア１２に伝達された回転力は、ピニオンギア１２の前部を介してロータ３に伝達され、ロータ３が糸巻き取り方向に回転する。
【００５３】
一方、ピニオンギア１２に噛み合う大径ギア１９によって段付ギア１３が回転し、その回転が小径ギア２０を介して従動ギア１６に伝達される。この結果、ピニオンギア１２の回転速度、すなわちロータ３の回転速度より小さい回転速度で螺軸２１が回転する。そして、螺軸２１の回転により螺軸２１の溝２１ａに噛み合うスライダ２２がガイド軸２４ａ、２４ｂに案内されて前後方向に移動する。そして、ベールアーム４４によってスプール４に案内された釣り糸はスプール４の糸巻胴部４ａに巻き付けられ、スプール４に釣り糸が密に巻き付けられる。このため、スプール４に釣り糸が効率よく巻き付けられる。
【００５４】
〔他の実施形態〕
（ａ）前記実施形態では、第１調整体で初期ドラグ力を細かく設定し、第２調整体で通常のドラグ力を設定するように構成したが、逆でもよい。すなわち、第２調整体の方を単条ねじにして第１調整体の方を多条ねじにしてもよい。
図７において、ドラグ調整つまみ１６１は、第１調整体１８０と、伝達体１８１と、第２調整体１８２と、押圧体１８３とを有している。
【００５５】
第１調整体１８０は、前面に直径に沿う突起部１９０ａを有する円板状の第１調整体本体１９０と、第１調整体本体１９０の内部に前方への移動が規制された状態で回転不能に装着された第１ナット１９２とを有している。スプール軸１５の先端の第１雄ねじ部１５ａは２条ねじであり、第１雄ねじ部１５ａに螺合する第１ナット１９２の第１雌ねじ部１９１も当然２条ねじである。
【００５６】
伝達体１８１は、第１調整体本体１９０に回転自在に抜け止めされている。この抜け止め構造は前記実施形態と同様なため説明を省略する。伝達体１８１の外周面に形成された第２雄ねじ部１９８は、第１雄ねじ部１５ａとピッチが同じ単条ねじである。
第２調整体１８２は、第１調整体１８０の後面に第１調整体１８０の外周面を覆うように大径に形成された円板状の部材である。第２調整体１８２は、円板状の第２調整体本体２００と、第２雄ねじ部１９８に螺合する第２雌ねじ部２０１を有する第２ナット２０２とを有している。第２調整体本体２００は、形状を除いて前記実施形態と同様な構成である。
【００５７】
押圧体１８３は、円板状の押圧体本体２１０と、押圧体本体２１０をスプール軸１５に回転不能に装着された伝達体１８１に対して回転不能に連結するための歯付きワッシャ２１１とを有しており、前記実施形態と同様な構成である。
このような構成のドラグ調整つまみ１６１では、初期ドラグ力を設定する際には、第１調整体１８０ではなく、第２調整体１８２のたとえば外周面を回して調整する。また、通常ドラグ力を設定する際には、突起部１９０ａをつまんで第１調整体１８０を回して調整する。このような実施形態でも前記実施形態と同様な効果が得られる。
【００５８】
（ｂ）前記実施形態では、抜け止めばね９５により伝達体８１を抜け止めし、ビス１０５により押圧体８３を抜け止めしたが、抜け止め構造は抜け止めばねやビスに限定されない。たとえば、弾性的に係止する突起を第１及び第２調整体や伝達体や押圧体に設けて抜け止めしてもよい。
（ｃ）前記実施形態では、多条ねじとして製造しやすい２条ねじを例示したが、３条以上の多条ねじを用いてもよい。
【００５９】
【発明の効果】
本発明によれば、多条ねじを用いた調整体と単条ねじを用いた調整体とで同じピッチのねじを用いたとしても、多条ねじを用いた調整体の回転量に対する後方への移動量は、単条ねじを用いた調整体の条数倍になる。しかも、多条ねじのため、単条ねじを用いた調整体とピッチを同じにでき、螺合するねじ山の数も同じにできる。このため、ねじのピッチを大きくする必要がなくなり、ねじの強度を維持して所望のドラグ力に素早く設定できるようになる。
【図面の簡単な説明】
【図１】本発明の一実施形態を採用したスピニングリールの左側面断面図。
【図２】図１のＩＩ−ＩＩ断面図。
【図３】ドラグ機構を含むスプールの断面図。
【図４】ドラグ調整つまみの分解斜視図。
【図５】ドラグ調整つまみの正面図。
【図６】図５のＶＩ−ＶＩ断面図。
【図７】多の実施形態の図６に相当する図。
【符号の説明】
２  リール本体
４  スプール
６  オシレーティング機構
１５  スプール軸
１５ａ  第１雄ねじ部
６０  ドラグ機構
６１  ドラグ調整つまみ
８０，１８０  第１調整体
８１，１８１  伝達体
８１ａ  第１鍔部
８２，１８２  第２調整体
８３，１８３  押圧体
８４  第１発音部
８５  第２発音部
９０，１９０  第１調整体本体
９０ｂ  伝達体収納凹部
９０ｄ  係止溝
９１，１９１  第２雄ねじ部
９２，１９２  第１ナット
９５  抜け止めばね（第１抜け止め部）
９５ａ  係合部
９５ｂ  接触部
１００，２００  第２調整体本体
１００ｃ  カバー部
１００ｅ  押圧体収納凹部
１０１，２０１  第２雌ねじ部
１０２，２０２  第２ナット
１０３  把手部
１０３ａ  橋絡部
１０５  ビス（第２抜け止め部）
１１０ａ  第２鍔部
【図１】
2004344047.tif 000003
【図２】
2004344047.tif 000004
【図３】
2004344047.tif 000005
【図４】
2004344047.tif 000006
【図５】
2004344047.tif 000007
【図６】
2004344047.tif 000008
【図７】
2004344047.tif 000009